(57)【特許請求の範囲】
【請求項１】
先ず水平２分割された内側ケーシングを所定の位置に据付け芯出しした後、この内側ケーシングの周りに水平２分割された外側ケーシングを据付けて、前記内側ケーシングと前記外側ケーシングとを溶接により一体に結合し、次いで、あらかじめ組立てられた内側ガイドベーンリング，ガイドベーン及び外側ガイドベーンリングを吊り治具により一体にして吊り込み、前記内側ケーシングの下流側フランジと前記内側ガイドベーンリングの上流側フランジとをボルトにより結合するとともに、前記外側ケーシングの下流側フランジと前記外側ガイドベーンリングの上流側フランジとをボルトにより結合し、さらに一端がコンクリート建屋に固定され他端が外側ガイドベーンリングの下流側フランジの面上に当てられた複数のパイプジャッキを水平に取り付け、その後、前記外側ケーシングの外周に複数回に分けてコンクリートを打設して硬化させることを特徴とするバルブ水車の現地組立据付方法。
【請求項２】
請求項１記載のバルブ水車の現地組立据付方法において、コンクリート打設中は、内側ケーシング，外側ケーシング及びコンクリート中に取り付けたセンサにより、前記内側ケーシング，外側ケーシング及びコンクリートの温度及び歪みを測定することを特徴とするバルブ水車の現地組立据付方法。
【発明の詳細な説明】
【０００１】
【発明の属する技術分野】
この発明は、バルブ水車の現地組立据付方法に関する。
【０００２】
【従来の技術】
従来、大型バルブ水車の水平２分割された内側ケーシング，外側ケーシング，内側ガイドベーンリング，外側ガイドベーンリング及びガイドベーンを現地で組立する場合、先ず内側ケーシングと外側ケーシングを組立ててそれぞれ溶接して据付けすべき位置に固定し、外側ケーシングの周りにコンクリートを打設する。コンクリートが硬化した後、内側ガイドベーンリング，ガイドベーンおよび外側ガイドベーンリングを組立て、固定されている内側ケーシングの下流側フランジと内側ガイドベーンリングの上流側フランジとをボルトで結合するとともに、外側ケーシングの下流側フランジと外側ガイドベーンリングの上流側フランジとをボルトで結合する。
【０００３】
【発明が解決しょうとする課題】
しかしながら、従来の組立据付方法では、コンクリート打設時には、内側ケーシング，外側ケーシングにはケーシング自重＋コンクリート荷重＋コンクリート硬化時の発生熱によって、剛性が弱い内側ケーシング及び外側ケーシングは楕円形に変形して、横方向に拡がり、下流側の内側ケーシング及び外側ケーシングのフランジ面に歪みが発生するため、コンクリート硬化後に歪みの修正を行う必要があり、その作業に多大な時間を費やしている。
【０００４】
この発明は、下流側の内側ケーシング及び外側ケーシングの剛性を増し、コンクリート打設時の内側ケーシング及び外側ケーシングに歪みが発生しないようにしたバルブ水車の現地組立据付方法を提供することを課題とする。
【０００５】
【課題を解決するための手段】
この発明は、バルブ水車の現地組立据付方法において、先ず水平２分割された内側ケーシングを所定の位置に据付け芯出しした後、この内側ケーシングの周りに水平２分割された外側ケーシングを据付けて、前記内側ケーシングと前記外側ケーシングとを溶接により一体に結合し、次いで、あらかじめ組立てられた内側ガイドベーンリング，ガイドベーン及び外側ガイドベーンリングを吊り治具により一体にして吊り込み、前記内側ケーシングの下流側フランジと前記内側ガイドベーンリングの上流側フランジとをボルトにより結合するとともに、前記外側ケーシングの下流側フランジと前記外側ガイドベーンリングの上流側フランジとをボルトにより結合し、さらに一端がコンクリート建屋に固定され他端が外側ガイドベーンリングの下流側フランジの面上に当てられた複数のパイプジャッキを水平に取り付け、その後、前記外側ケーシングの外周に複数回に分けてコンクリートを打設して硬化させるものである。この発明によれば、比較的剛性の強い内側ガイドベーンリング及び外側ガイドベーンリングをコンクリート打設前に剛性の弱い内側ケーシング及び外側ケーシシグにそれぞれフランジで結合し、内側ケーシング及び外側ケーシングの剛性を増加させてからコンクリートを打設するため、コンクリート打設に伴う内側ケーシング及び外側ケーシングの歪みの発生を防止できる。但しこの方法においては、従来のごとくコンクリートが打設されていない内側ケーシング及び外側ケーシングを内側ガイドベーンリング及び外側ガイドベーンリングに結合させていないので、各々のケーシングの自重を支持しかつケーシングの面倒れを防止するために外側ケーシングのフランジを支持する水平なパイプジャッキが必要となる。また、コンクリート打設中は、内側ケーシング，外側ケーシング及びコンクリート中に取り付けたセンサにより、前記内側ケーシング，外側ケーシング及びコンクリートの温度及び 歪みを測定するようにすれば、歪みをチエックできる。
【０００６】
【発明の実施の形態】
図１は、この発明の実施の形態を示すバルブ水車の縦断面図、図２は図１のII−II断面図である。図１において、内側ケーシング１の外側に外側ケーシング２が位置し、内側ガイドベーンリング３と外側ガイドベーンリング４との間にガイドベーン５が位置し、外側ケーシング２の外側にコンクリート８が打設される。図２において、内側ケーシング１は流れ方向に径が小さくなっているので２重線で示され、コンクリート８の内側は外側ケーシング２の外面と一致する。内側ケーシング１と外側ケーシング２との間の水路に水が流れる。以下バルブ水車の現地組立据付の実施の形態について説明する。先ず水平２分割された内側ケーシング１を所定位置に据付芯出しした後、その周りに水平２分割された外側ケーシング２を据付け、内側ケーシング１と外側ケーシング２とを溶接して一体に結合する。次いで、あらかじめ組み立てておいた内側ガイドベーンリング３，外側ガイドベーンリング４及びガイドベーン５を一体にしてクレーンで吊り込み、内側ケーシングの下流側フランジ１ａと内側ガイドベーンリングの上流側フランジ３ａとをボルトで結合するとともに、外側ケーシングの下流側フランジ２ａと外側ガイドベーンリングの上流側フランジ４ａとをボルトで結合する。さらに、一端がコンクリート建屋に固定され他端が外側ガイドベーンリングの下流側フランジ４ｂの面上に均等に間隔を保って当てられた複数のパイプジャッキ７を水平に取り付ける。
その後、外側ケーシング２の外周に複数回、図１においては８回にわたりコンクリート８を打設し、順次硬化させる。ステーベーン９は外側ケーシング２に結合されている。１０は補強コンクリート梁、１１はハッチカバーである。
コンクリートを複数回に分けて打設するのは下記の理由による。即ち、コンクリートを一度に打設するとコンクリート自身の重量により型枠が壊れる恐れがあること、コンクリートを固まり易くすること、コンクリートが固化する際に発生する熱によって、コンクリートの内側の構造物が変形する可 能性があることに加え、バルブ水車の場合にはバルブ全体を一度にコンクリートの中に埋めた場合には、バルブに浮力が発生し、バルブの芯が狂う恐れがあること、コンクリートとバルブの底部との間に空気溜まりが発生するのを防ぐこと、コンクリートの熱によるバルブの歪みを防ぐことを目的としている。図１の場合には、コンクリートを８回に分けて打設したが、バルブが小型の場合には５回程度に分けて打設してもよい。コンクリート打設中は、内側ケーシング１，外側ケーシング２及びコンクリート８の中に取り付けたセンサによりそれぞれの温度と歪みとを測定している。
この組立据付方法によれば、内側ケーシング１と内側ガイドベーンリング３を互いのフランジ１ａ,３ａをボルトで結合させるとともに、外側ケーシング２と外側ガイドベーンリング４を互いのフランジ２ａ,４ａをボルトで 結合させて剛性を増し、コンクリート８を打設するので、内側ケーシング１及び外側ケーシング２は、自重＋コンクリート荷重＋コンクリート硬化時の発生熱により押しつぶされることなく、楕円形に変形することもない。
【０００７】
【発明の効果】
この発明においては、先ず水平２分割された内側ケーシングを所定の位置に据付け芯出しした後、その内側ケーシングの周りに水平２分割された外側ケーシングを据付けて、前記内側ケーシング及び前記外側ケーシングを溶接によりそれぞれ一体に結合し、次いで、あらかじめ組立てられた内側ガイドベーンリング，ガイドベーン及び外側ガイドベーンリングを吊り治具により一体にして吊り込み、前記内側ケーシングの下流側フランジと前記内側ガイドベーンリングの上流側フランジとをボルトにより結合するとともに、前記外側ケーシングの下流側フランジと前記外側ガイドベーンリングの上流側フランジとをボルトにより結合し、さらに、一端がコンクリート建屋に固定され他端が外側ガイドベーンリングの下流側フランジの面上に均等に間隔を保って当てられた複数のパイプジャッキを水平に取り付け、その後、前記外側ケーシングの外周に複数回に分けてコンクリートを打設して硬化させることにより、下流側の内側ケーシング及び外側ケーシングの剛性を増した後にコンクリートを打設するので、内側ケーシング及び外側ケーシングに自重とコンクリート荷重及びコンクリート硬化時の発生熱が加わっても歪みが発生することはない。その結果従来の据付方法において行われていた下流側ケーシングフランジ面の歪み修正作業を省略できて、バルブ水車の現地組立据付作業時間を大幅に短縮することができる。
【図面の簡単な説明】
【図１】この発明のバルブ水車の現地組立据付方法の実施の形態を示すバルブ水車の縦断面図である。
【図２】図１のII−II断面図である。
【符号の説明】
１    内側ケーシング
１ａ  内側ケーシングの下流側フランジ
２    外側ケーシング
２ａ  外側ケーシングの下流側フランジ
３    内側ガイドベーンリング
３ａ  内側ガイドベーンリングの上流側フランジ
４    外側ガイドベーンリング
４ａ  外側ガイドベーンリングの上流側フランジ
４ｂ  外側ガイドベーンリングの下流側フランジ
５    ガイドベーン
６    外側ガイドベーンリングの下流側フランジ付近円錐部周溶接
７    パイプジャッキ
８    コンクリート
９    ステーベーン
【図１】
0003761002.tif 000002
【図２】
0003761002.tif 000003